(57)【要約】【課題】第一液の外周を第二液が被覆した二層構造の液の吐出を行うことができ、また、構造が簡単で安価に製造できる二液用吐出器を提案する。【解決手段】内部上部に垂設した第一連絡筒22及び第二連絡筒23よりそれぞれ第一流路p1及び第二流路p2を介して第一吐出孔h1及び第二吐出孔h2を開口したケース体Ａと、各第一，第二連絡筒にそれぞれ嵌合筒31を着脱可能に嵌着するとともに、内部に第一ピストンC1及び第二ピストンC2をそれぞれ摺動可能に嵌合して取り替え可能に装着した第一，第二のシリンダB1，B2と、第一ピストン及び第二ピストンを同時に押圧する押圧部材Ｄとを備え、第二吐出孔を第一吐出孔周囲に環状に開口し、第一吐出孔より吐出される第一液周囲を第二吐出孔より吐出される第二液が被覆する如く構成した。【選択図】図１
2007297092.tif 000002
【特許請求の範囲】
【請求項１】
内部上部に垂設した第一連絡筒22及び第二連絡筒23よりそれぞれ第一流路p1及び第二流路p2を介して第一吐出孔h1及び第二吐出孔h2を開口したケース体Ａと、第一連絡筒22に上端嵌合筒31を着脱可能且つ液密に嵌着するとともに、内部に第一ピストンC1を摺動可能に嵌合させて第一液を密封し、且つ、ケース体Ａ内に取り外し可能に収納した第一シリンダB1と、第二連絡筒23に上端嵌合筒31を着脱可能且つ液密に嵌着するとともに、内部に第二ピストンC2を摺動可能に嵌合させて第二液を密封し、且つ、ケース体Ａ内に取り外し可能に収納した第二シリンダB2と、第一ピストンC1及び第二ピストンC2を同時に押圧する押圧部材Ｄとを備え、第二吐出孔h2を第一吐出孔h1周囲に環状に開口し、第一吐出孔h1より吐出される第一液周囲を第二吐出孔h2より吐出される第二液が被覆する如く構成したことを特徴とする二液用吐出器。
【請求項２】
前記ケース体Ａを、周壁２より延設した頂壁３に下端を開口して第二吐出筒４を立設したケース本体A1と、ケース本体頂壁３裏面に嵌合させた頂板21より前記第一連絡筒22及び第二連絡筒23を垂設するとともに、第一連絡筒22と内部を連通する第一吐出筒26を第二吐出筒４内周に隙間をあけて立設して前記第一流路p1及び第二流路p2を画成してなる補助部材A2とから構成してなる請求項１記載の二液用吐出器。
【請求項３】
前記頂板21の前記第一吐出筒26外周に沿って案内凹溝62を形成してなる請求項２記載の二液用吐出器。
【請求項４】
前記第一シリンダB1及び第二シリンダB2のそれぞれ下端部とケース体Ａ下端部とに、互いに係合して第一シリンダB1及び第二シリンダB2をそれぞれ特定する判別機構を設けてなる請求項１乃至請求項３のいずれかに記載の二液用吐出器。
【請求項５】
前記ケース体Ａが、周壁２外周下端部より外方へフランジ５を延設するとともに、該フランジ５に設けた切欠部９に第一シリンダB1及び第二シリンダB2から突設した指掛け突起33を押し下げ可能に臨ませてなる請求項１乃至請求項４のいずれかに記載の二液用吐出器。
【発明の詳細な説明】
【技術分野】
【０００１】
本発明は二液用吐出器に関する。
【背景技術】
【０００２】
二液を容器内に別々に封入して使用直前に簡単な操作で直ちに二液を容器体で混合できる二液混合容器が提案されている。（特許文献１参照）
【０００３】
この二液混合容器は、一対の液カップと、一対のプランジャと、本体とで構成している。液カップは、液封入部と吐出部とをプランジャにより破断される隔壁部で画成している。本体は、液カップ嵌入筒と、混合液貯留筒とからなり、液カップ嵌入筒は、一方の側には一方の液カップが吐出部側より嵌入され、他方の側には他方の液カップが吐出部側より嵌入されており、一方の液カップには一方のプランジャが嵌入されて第一液が封入され、他方の液カップには他方のプランジャが嵌入されて第二液が封入されている。また、嵌入された両液カップの間には上方の開口部と連通する空間を成す両液混合室が形成されている。また、嵌合液貯留筒は、液カップ嵌入筒の両液混合室の上方に突設され、その開口部と連通させている。
【０００４】
上記の二液混合容器は、各プランジャを本体側に向けて同時に押圧するという簡単な操作で、それぞれのプランジャの突出し部によりそれぞれの液カップの隔壁部を破断せしめるとともに、それぞれの液カップの液封入部内に封入された第一液及び第二液が一気に本体の液カップ嵌入筒の両液混合室内へと流入することにより、二液は両液混合室内で直ちに混合されるので、直ちに適正な混合状態の混合液を得ることができるばかりでなく、従来の二液混合容器の如く液が収納された一方の部位を押圧したり、容器自体を振盪させたりする操作を一切行うことなく、簡単に二液が完全に混合される状態を得ることができる優れたものである。
【特許文献１】特開２００６−３６２２６
【発明の開示】
【発明が解決しようとする課題】
【０００５】
既述二液混合容器は、二液が容器内で混合されて吐出される形態のものであるため、下記の如き収納液の場合にはそぐわない。例えば、二液の一方の液が空気との接触を嫌うものの場合や、或いは二液が薬剤であり、その一方の液を直接患部に触れさせたくないものの場合には混合しての吐出が好ましくない場合がある。
【０００６】
本発明は上記した点に鑑みてなされたもので、一方の液が空気との接触を嫌うものの場合にその接触を極力防止でき、また、一方の液を直接患部に触れさせたくない薬剤の場合等に好適であり、しかも二液の補充を簡単に行える二液用吐出器を提案する。また、構造が簡単で安価に製造できる二液用吐出器を提案する。
【課題を解決するための手段】
【０００７】
本発明の二液用吐出器は、比較的粘度の高い二液を同時に吐出するための吐出器であり、一液の周囲を二液が被覆した形態で液の吐出が行われる。吐出液の粘度は吐出状態で保形性を維持できる程度の粘度があれば良く、特に特定されない。また、二液用吐出器は、容器体と、第一，第二の各シリンダと、第一，第二の各ピストンと、押圧部材とを備えている。
【０００８】
ケース体は合成樹脂等により形成されたもので、下端を開口した有頂筒状をなし、頂部に第一吐出孔及び第二吐出孔を備えている。また、内部上部には第一連絡筒及び第二連絡筒を垂設し、各連絡筒はそれぞれ第一流路及び第二流路を介して第一吐出孔及び第二吐出孔に連通している。また、ケース体はケース本体と補助部材の二部材で構成することで、組み付けが容易で且つ成形性にも優れた形態となるため好ましい。ケース本体は、周壁より延設した頂壁に下端を開口して第二吐出筒を立設した形態のものが好ましく採用でき、補助部材は、ケース本体頂壁裏面に嵌合させた頂板より第一連絡筒及び第二連絡筒を垂設するとともに、第一連絡筒と内部を連通する第一吐出筒を第二吐出筒の内周に隙間をあけて立設することにより第一流路及び第二流路を画成した形態のものが好ましく採用できる。
【０００９】
本発明に於いて、前記第二吐出孔は第一吐出孔周囲に環状に開口している。第一吐出孔の形状は円形が一般的であるが特に限定されず、また、第二吐出孔の形状も第一吐出孔の形状に併せてその周囲を囲繞する環状に形成すれば良い。また、本発明では前記の如く構成することにより第一液周囲を被覆して第二液が吐出される如く構成している。但し、この様にするためには単に第一吐出孔と第二吐出孔との前記した位置関係のみだけでなく、第一シリンダから第一吐出孔に至る第一流路の容積及び第二シリンダから第二吐出孔に至る第二流路の容積を調整する必要があり、また、第一吐出孔と第二吐出孔との開口面積比の調整をする必要がある。
【００１０】
具体的には、第一流路の容積と第二流路の容積とを略同じとすれば良い。また、第一吐出孔と第二吐出孔の開口面積比も１：１即ち同じとすれば良い。但し、これら容積比或いは面積比は若干の誤差は当然考慮される。尚、これらは各第一，第二シリンダが相互に同径の場合（各シリンダの横断面積が同じ場合）を想定したものであり、各第一，第二シリンダが相互に異径の場合には径差に伴い第一流路と第二流路の容積比及び第一吐出孔と第二吐孔との開口面積比を調整して上記した層形態の液が吐出される如く構成する。その場合、例えば、第一シリンダと第二シリンダの径比と、第一流路と第二流路との容積比を略等しくし、前記径比と開口面積比を略等しくする。
【００１１】
第一シリンダ及び第二シリンダは合成樹脂等により形成され、ケース体内に着脱可能に嵌合させたものであり、第一シリンダは、第一連絡筒に上端の嵌合筒を液密に且つ着脱可能に嵌着して、ケース体内に取り外し可能に収納している。また、内部に第一ピストンを摺動可能に嵌合させて第一液を密封している。第二シリンダも第二連絡筒に上端の嵌合筒を着脱可能に且つ液密に嵌着してケース体内に取り外し可能に収納しており、同様に内部に第二ピストンを摺動可能に嵌合させて第二液を密封している。各第一，第二シリンダは収納液を使い切った際には交換が可能に構成している。また、第一シリンダと第二シリンダとは互いに同径であっても異径であっても良く、吐出液の層形態によって選択すれば良い。尚、異径の場合にはそれに伴って第一，第二流路の容積比や第一，第二の各吐出孔の開口面積比等を考慮する必要がある。
【００１２】
第一シリンダ及び第二シリンダには基本的に別種類の液が収納されるため、交換の際に両者を判別させるための判別機構を設けると良い。判別機構の例として、第一シリンダ及び第二シリンダのそれぞれ下端部とケース本体下端部とに、互いに係合して第一シリンダ及び第二シリンダをそれぞれ特定する凹凸係合手段を設ける。例えば、第一シリンダ及び第二シリンダの形状を同じ形状とし、下端縁に突設したフランジの特定位置にそれぞれ係合凹部を穿設し、一方、ケース体の下端部に係合凹部に対応する係合突起を設ける。従って、第一シリンダの係合凹部と第二シリンダの係合凹部とはその位置が相違し、その結果、第一シリンダを第二シリンダを嵌着すべき位置に嵌着しようとすれば、係合凹部と係合突起とが係合しないため、嵌合が不可能となる。
【００１３】
第一ピストン及び第二ピストンはエラストマー或いは合成樹脂等により形成されたもので、第一シリンダ及び第二シリンダにそれぞれ摺動可能に嵌合させて、それぞれ第一液，第二液を各シリンダ内に密封している。各ピストンは各シリンダ内に収納可能に構成すると良く、押圧部材を装着しない状態で容器体を安定的に起立させることができる。また、押圧部材を着脱自在に嵌合させる嵌合手段を設けると良い。
【００１４】
押圧部材は合成樹脂等により形成され、第一ピストン及び第二ピストンを同時に押圧するためのものであり、例えば、第一ピストン及び第二ピストンにそれぞれ上端部を着脱可能に嵌合させた第一押圧杆，第二押圧杆を基板よりそれぞれ立設して構成する。
【００１５】
上記課題を解決するための第１の手段として、以下の通り構成した。即ち、内部上部に垂設した第一連絡筒22及び第二連絡筒23よりそれぞれ第一流路p1及び第二流路p2を介して第一吐出孔h1及び第二吐出孔h2を開口したケース体Ａと、第一連絡筒22に上端嵌合筒31を着脱可能且つ液密に嵌着するとともに、内部に第一ピストンC1を摺動可能に嵌合させて第一液を密封し、且つ、ケース体Ａ内に取り外し可能に収納した第一シリンダB1と、第二連絡筒23に上端嵌合筒31を着脱可能且つ液密に嵌着するとともに、内部に第二ピストンC2を摺動可能に嵌合させて第二液を密封し、且つ、ケース体Ａ内に取り外し可能に収納した第二シリンダB2と、第一ピストンC1及び第二ピストンC2を同時に押圧する押圧部材Ｄとを備え、第二吐出孔h2を第一吐出孔h1周囲に環状に開口し、第一吐出孔h1より吐出される第一液周囲を第二吐出孔h2より吐出される第二液が被覆する如く構成した。
【００１６】
第２の手段として、以下の通り構成した。即ち、前記第１の手段に於いて、前記ケース体Ａを、周壁２より延設した頂壁３に下端を開口して第二吐出筒４を立設したケース本体A1と、ケース本体頂壁３裏面に嵌合させた頂板21より前記第一連絡筒22及び第二連絡筒23を垂設するとともに、第一連絡筒22と内部を連通する第一吐出筒26を第二吐出筒４内周に隙間をあけて立設して前記第一流路p1及び第二流路p2を画成してなる補助部材A2とから構成した。
【００１７】
第３の手段として以下の通り構成した。即ち、前記第２の手段に於いて、前記頂板21の前記第一吐出筒26外周に沿って案内凹溝62を形成した。
【００１８】
第４の手段として以下の通り構成した。即ち、前記第１の手段乃至第３の手段のいずれかの手段に於いて、前記第一シリンダB1及び第二シリンダB2のそれぞれ下端部とケース体Ａ下端部とに、互いに係合して第一シリンダB1及び第二シリンダB2をそれぞれ特定する判別機構を設けた。
【００１９】
第５の手段として以下の通り構成した。即ち、前記第１の手段乃至第４の手段のいずれかの手段に於いて、前記ケース体Ａが、周壁２外周下端部より外方へフランジ５を延設するとともに、該フランジ５に設けた切欠部９に第一シリンダB1及び第二シリンダB2から突設した指掛け突起33を押し下げ可能に臨ませた。
【発明の効果】
【００２０】
本発明の二液用吐出器は、第一液の周囲を第二液で被覆した液を吐出することができるため、例えば、薬剤等に於いて直接患部に接触するのが不都合な第一液を第二液で被覆して吐出することができる便利があり、また、空気に直接接触させるのが好ましくない第一液を第二液で被覆して吐出することができる便利がある。また、液使用後は第一シリンダB1及び第二シリンダB2，第一ピストンC1及び第二ピストンC2を交換するだけで何回も使用が可能であり、経済的であるとともに、その交換も容易である。
【００２１】
また、前記ケース体Ａを、周壁２より延設した頂壁３に下端を開口して第二吐出筒４を立設したケース本体A1と、ケース本体頂壁３裏面に嵌合させた頂板21より前記第一連絡筒22及び第二連絡筒23を垂設するとともに、第一連絡筒22と内部を連通する第一吐出筒26を第二吐出筒４内周に隙間をあけて立設して前記第一流路p1及び第二流路p2を画成してなる補助部材A2とから構成した場合には、部材数を極力少なくし、安価に精密に形成できるとともに、その組み付けも簡単に行える利点がある。
【００２２】
また、前記頂板21の前記第一吐出筒26外周に沿って案内凹溝62を形成した場合には、第一吐出筒26及び第二吐出筒４で形成される第二流路p2の環状部分に液の行き渡りが効率良く行える利点がある。
【００２３】
また、前記第一シリンダB1及び第二シリンダB2のそれぞれ下端部とケース体Ａ下端部とに、互いに係合して第一シリンダB1及び第二シリンダB2をそれぞれ特定する判別機構を設けた場合には、交換する各シリンダを間違いなく装着することができる。
【００２４】
また、前記ケース体Ａが、周壁２外周下端部より外方へフランジ５を延設するとともに、該フランジ５に設けた切欠部９に第一シリンダB1及び第二シリンダB2から突設した指掛け突起33を押し下げ可能に臨ませた場合は、各シリンダの取り外しが極めて容易であり、その結果、各シリンダ及び各ピストンの取り替えを容易に行える利点がある。
【発明を実施するための最良の形態】
【００２５】
以下、本発明の実施例の形態を図面を参照して説明する。
【００２６】
図１乃至図６は本発明二液用吐出器の一例を示し、図中１は二液用吐出器を示す。該二液用吐出器１は、ケース体Ａと、第一シリンダB1と、第二シリンダB2と、第一ピストンC1と、第二ピストンC2と、押圧部材Ｄとを備えている。
【００２７】
ケース体Ａは、ケース本体A1と、補助部材A2とで構成している。ケース本体A1は、横長楕円筒状の周壁２上端縁より頂壁３を延設し、頂壁３の中央部を隆起した隆起部3aとし、この隆起部3aの中央に下端を開口した第二吐出筒４を立設している。また、周壁２の下端縁より外方へ輪郭が円形状をなすフランジ５を突設し、フランジ５の周縁より垂壁６を垂設している。フランジ５下面の所定位置には後に詳述する判別機構の一部をなす一対の第一係合突起７，７及び一対の第二係合突起８，８を突設している。また、フランジ５及び垂壁６の両側には一対の切欠部９，９を設けている。
【００２８】
補助部材A2は、ケース本体A1の周壁２上端部に嵌着させた周壁部20の上端より延設した横長楕円形状の頂板21をケース本体頂壁３裏面に嵌合させ、また、頂板21裏面より第一連絡筒22及び第二連絡筒23を垂設している。第一連絡筒22上の頂板21には第一連通孔24を穿設し、該第一連通孔24周縁より立設した変移壁部25を介して頂板21中央に第一吐出筒26を立設し、該第一吐出筒26をケース本体A1の第二吐出筒４内周に隙間をあけて位置させ、上端に第一吐出孔h1を開口し、第一連通孔24より第一吐出孔h1に至る第一流路p1を画成している。また、第二連絡筒23上の頂板21には第二連通孔27を穿設し、該第二連通孔27から、第一吐出筒26及び第二吐出筒４の間の先端部に形成された第二吐出孔h2に至る第二流路p2を画成している。
【００２９】
第一シリンダB1は下端を開口した有頂円筒状の胴部30を有し、胴部30の頂部に胴部30内と連通する嵌合筒31を立設し、また、下端周縁部からはフランジ部32を外方へ突設している。フランジ部32は、第二シリンダB2との対向面側を直線状に形成して第二シリンダB2のフランジ部32の対向面とピッタリ当接する如く構成しており、また、直線状面と対向側にはケース体Ａの切欠部に臨ませる指掛け突起33を突設している。更に、フランジ部32の所定位置には前記各第一係合突起７と係合する一対の第一係合凹部34，34を凹設している。そして、嵌合筒31を第一連絡筒22に液密に嵌合させるとともに、各第一係合凹部34を各第一係合突起７に嵌合させ、更に、指掛け突起33を切欠部９に臨ませてケース体Ａに装着している。第二シリンダB2も第一シリンダB1と左右対称形に形成されており、それ以外の相違点としては、各第二係合突起８，８と対応する一対の第二係合凹部35，35を凹設している点のみである。従って、第一シリンダB1を第二シリンダB2を装着すべき位置に嵌合しても第一係合凹部34が第二係合突起８と係合せずに装着が不可能であり、また、第二シリンダB2を第一シリンダB1を装着すべき位置に嵌合しても同様である。
【００３０】
第一ピストンC1及び第二ピストンC2は、第一シリンダB1及び第二シリンダB2にそれぞれ摺動可能に嵌合させたもので、合成ゴムにより形成されている。第一ピストンC1は、第一シリンダB1内周に摺動可能に嵌合するとともに、上下端縁がテーパ状に外方へ突出した摺動筒部40を頂板部41の周縁部から延設し、また、頂板部41裏面には嵌合凹部42を凹設している。第二ピストンC2も第一ピストンと全く同形である。
【００３１】
押圧部材Ｄは、第一ピストンC1及び第二ピストンC2にそれぞれ上端部を着脱可能に嵌合させた第一押圧杆50a 及び第二押圧杆50b を基板51よりそれぞれ立設している。第一押圧杆50a 及び第二押圧杆50b は横断面十字形状をなす板状で、各先端部を各第一ピストンC1及び第二ピストンC2の各嵌合凹部42に着脱可能に嵌合している。そして、図１の状態から押圧部材Ｄを押し込めば、第一ピストンC1内の第一液は第一流路p1を介して第一吐出孔h1から外部へ吐出され、また、第二シリンダB2内の液は第二連通孔27から第二流路p2を介して第二吐出孔h2から外部へ吐出される。その際、第一吐出孔h1から吐出される第一液の周囲を第二吐出孔h2から吐出される環状の第二液が被覆して吐出される。
【００３２】
図７及び図８は他の例を示し、本例は図１の例に於いて、補助部材A2の形態を相違したものである。本例では、補助部材A2を、第一補助部材A2a 及び第二補助部材A2b で形成しており、第一補助部材A2a は、周壁部20上端縁より第一頂板21a を延設するとともに、第一頂板21a に第一透孔60と第二透孔61を穿設し、また、第二透孔61の周縁部から下方へ第二連絡筒23を垂設している。また、第二補助部材A2b は、第一頂板21a と同様外径の第二頂板21b を有し、該第二頂板21b 裏面より下方へ第一連絡筒22を垂設するとともに、第一連絡筒22上端縁より立設した変移壁部25を介して第二頂板21b 中央に第一吐出筒26を立設し、第一吐出筒26の外周部分で変移壁部25部分以外の部分に案内凹溝62を凹設している。更に、第二頂板21b 裏面から第二連絡筒23の上端部に嵌合する嵌合突部63を突設し、該嵌合突部63に案内凹溝62の一部と連通する第二連通孔27を穿設している。
【００３３】
そして、第一補助部材A2a と第二補助部材A2b とを嵌着して補助部材A2を形成し、該補助部材A2を図１の例と同様にケース本体A1内上端部に嵌着固定している。この場合には第二シリンダB2からの液が案内凹溝62を介して第一吐出筒26周囲に円滑に導入され、牽いては第二吐出孔h2にはより均一に第二液が導入される如く構成している。
【図面の簡単な説明】
【００３４】
【図１】本発明二液用吐出器の縦断面図である。（実施例１）
【図２】本発明二液用吐出器の平面図である。（実施例１）
【図３】本発明二液用吐出器の底面図である。（実施例１）
【図４】本発明二液用吐出器に於けるケース体の分解斜視図である。（実施例１）
【図５】本発明二液用吐出器のシリンダ及びピストンの斜視図である。（実施例１）
【図６】本発明二液用吐出器の押圧部材の斜視図である。（実施例１）
【図７】本発明二液用吐出器の縦断面図である。（実施例２）
【図８】本発明二液用吐出器に於けるケース体の分解斜視図である。（実施例２）
【符号の説明】
【００３５】
１…二液用吐出器
Ａ…ケース体
A1…ケース本体
２…周壁，３…頂壁，3a…隆起部，４…第二吐出筒，５…フランジ，６…垂壁，
７…第一係合突起，８…第二係合突起，９…切欠部，
A2…補助部材（ A2a…第一補助部材， A2b…第二補助部材）
20…周壁部，21…頂板，21a …第一頂板，21b …第二頂板，22…第一連絡筒，
23…第二連絡筒，24…第一連通孔，25…変移壁部，26…第一吐出筒，
27…第二連通孔，p1…第一流路，p2…第二流路，h1…第一吐出孔，
h2…第二吐出孔，60…第一透孔，61…第二透孔，62…案内凹溝，63…嵌合突部，    B1…第一シリンダ，B2…第二シリンダ
30…胴部，31…嵌合部，32…フランジ部，33…指掛け部，34…第一係合凹部，
35…第二係合凹部，
C1…第一ピストン，C2…第二ピストン，
40…摺動筒部，41…頂板部，42…嵌合凹部，
Ｄ…押圧部材
50a …第一押圧杆，50b …第二押圧杆，51…基板，
【図１】
2007297092.tif 000003
【図２】
2007297092.tif 000004
【図３】
2007297092.tif 000005
【図４】
2007297092.tif 000006
【図５】
2007297092.tif 000007
【図６】
2007297092.tif 000008
【図７】
2007297092.tif 000009
【図８】
2007297092.tif 000010